(57)【要約】【課題】ハードディスク装置が故障しても、休止しないで連続稼働するカラオケ装置を提供する。【解決手段】３台の外部記憶装置Ａ・Ｂ・Ｃを装備したコンピュータを主体に構成されたカラオケ装置であって、多数の楽曲データを集約してなるカラオケデータベースが外部記憶装置ＡとＢとに二重化して格納され、多数に区分された大量の素材映像データを集約してなる映像データベースが外部記憶装置ＢとＣに分割して格納され、カラオケデータベースから指定楽曲の楽曲データを取り出してカラオケ伴奏音楽を音響出力するとともに背景映像を伴った歌詞を映像出力する演奏プログラムが外部記憶装置ＡとＢに二重化して格納され、演奏プログラムは、外部記憶装置ＢとＣに異常がない場合、映像編集処理手段を実行するとともに、外部記憶装置ＢとＣのいずれか一方が故障した場合、代替映像処理手段を実行するように構成されている。【選択図】      図３
2004151745.tif 000002
【特許請求の範囲】
【請求項１】
つぎの要件（１）〜（６）を備えたカラオケ装置。
（１）３台の外部記憶装置Ａ・Ｂ・Ｃを装備したコンピュータを主体に構成されたカラオケ装置である。
（２）音楽生成データと歌詞描出データと映像台本データとを含む多数の楽曲データを集約してなるカラオケデータベースが外部記憶装置ＡとＢとに二重化して格納されている。
（３）歌詞の背景映像として用意された多数に区分された大量の素材映像データを集約してなる映像データベースが外部記憶装置ＢとＣに分割して格納されている。
（４）前記カラオケデータベースから指定楽曲の前記楽曲データを取り出して処理し、カラオケ伴奏音楽を音響出力するとともに背景映像を伴った歌詞を映像出力するための演奏プログラムが外部記憶装置ＡとＢに二重化して格納されている。
（５）前記演奏プログラムは、外部記憶装置ＢとＣに異常がない場合、演奏する前記楽曲データの前記映像台本データに従って、外部記憶装置Ｂに格納された素材映像データと外部記憶装置Ｃに格納された素材映像データとを交互に取り出してつなぎ合わせた背景映像を出力する映像編集処理手段を備えている。
（６）前記演奏プログラムは、外部記憶装置ＢとＣのいずれか一方が故障した場合、演奏する前記楽曲データの属性情報などに従って、故障していない外部記憶装置ＢまたはＣに格納された素材映像データを取り出して背景映像を途切れないように出力する代替映像処理手段を備えている。
【請求項２】
請求項１に記載のカラオケ装置であって、起動時に前記３台の外部記憶装置のいずれかに故障があるか否かを調査するプログラムを実行し、前記演奏プログラムは、当該調査プログラムによる調査結果に基づいて、前記映像編集手段あるいは前記代替映像処理手段のいずれかを選択／実行する処理手段と、起動後に前記外部記憶装置Ａ〜Ｃのいずれかが故障していることを認知すると、適時に再起動処理を行う処理手段とを備えたことを特徴とする。
【請求項３】
請求項１または２に記載のカラオケ装置であって、前記演奏プログラムは、起動時あるいは起動後に外部記憶装置Ａ〜Ｃのいずれかにて発生した故障や異常についてのログを故障履歴簿として、前記外部記憶装置に格納する処理手段を備えたことを特徴とする。
【請求項４】
請求項３に記載のカラオケ装置であって、前記演奏プログラムは、前記外部記憶装置Ａ〜Ｃがいずれも正常であっても、前記故障履歴簿の内容に基づいて適宜に前記映像編集手段あるいは前記代替映像処理手段を実行する処理手段を備えたことを特徴とする。
【請求項５】
請求項１〜４のいずれかに記載のカラオケ装置であって、前記外部記憶装置Ａ〜Ｃのいずれかが故障したことを検出すると、定型の故障通知を作成する手段と、所定の通信回線に接続してあらかじめ設定されている所定の連絡先に前記故障通知を送信する手段とを備えたことを特徴とする。
【請求項６】
請求項１〜５のいずれかに記載のカラオケ装置であって、適宜な通信回線を介して送付された前記楽曲データを前記外部記憶装置ＡとＢとにほぼ同時に格納するためのダウンロード手段を備えたことを特徴とする。
【発明の詳細な説明】
【技術分野】
【０００１】
本発明はカラオケ装置に関し、とくに、カラオケ楽曲の伴奏音楽・歌詞画像・背景映像の各起源となる各種データをハードディスク装置などの外部記憶装置から読み出して処理するカラオケ装置に関する。
【背景技術】
【０００２】
図１は、周知の通信カラオケシステムにおけるカラオケ演奏端末の機能ブロック図であり、この図に従って従来のカラオケ装置の概略構成と基本動作とを説明する。
【０００３】
＝＝＝カラオケ装置の構成＝＝＝
ＣＰＵ、ＲＡＭ、ＲＯＭを含んだ中央制御部２と、ハードディスク装置３とを備えたコンピュータを主体として構成され、中央制御部２がハードディスク装置３に格納されている各種データやプログラムを処理することで、データバス１００や制御バス１１０を介して周辺各構成部とデータ通信を行い、このカラオケ装置１ａを統括している。
【０００４】
ハードディスク装置３は、多数曲分のカラオケ楽曲について、ＭＩＤＩ形式によって記述されたカラオケ伴奏音楽の起源となる音楽生成データと、その楽曲演奏に同期して描出する歌詞画像の生成起源となる歌詞描出データと、各楽曲に対応付けされた種々の付帯データとを含んだ楽曲データを格納してカラオケデータベースを構築している。また、起動時に主記憶（ＲＡＭ）に格納されてカラオケ装置１ａのシステムプログラムとなる演奏プログラムも格納されている。
【０００５】
ＣＤ−ＲＯＭチェンジャ１５は、多数のＣＤ−ＲＯＭを収納するとともに、複数系統のＣＤ−ＲＯＭ駆動装置（プレーヤ）と、適宜なＣＤ−ＲＯＭを所定の系統のプレーヤに供給するための搬送装置とを含んで構成されている。各ＣＤ−ＲＯＭには歌詞の背景映像として使用されるＭＰＥＧ１など適宜な形式の映像データが格納されている。映像データはカット映像に相当する短時間の素材映像に区分され、その素材映像データが多数のＣＤ−ＲＯＭによって大量に格納されて大規模な映像データベースを構築している。
【０００６】
各系統のプレーヤは映像データの復号回路を含み、ＣＤ−ＲＯＭチェンジャ１５が中央制御部２の制御の下、指定のＣＤ−ＲＯＭを適宜なプレーヤにて駆動し、指定の記録位置に記録されている素材映像データを読み出して復号する。そして、複数のプレーヤが復号する映像信号を交互に出力させることで、一連のムード映像につなぎ合わされて編集された背景映像がディスプレイ１４に表示される。
【０００７】
通信制御部１６は、モデムやＴＡ（ターミナルアダプタ）などのデータ通信装置とＲＳ２３２Ｃなどの所定規格のインタフェースとで構成され、電話回線網など所定のネットワークに接続されているホストコンピュータと中央制御部２とのデータ通信を仲介する。そして、中央制御部２は、ホストコンピュータからダウンロードされる新曲のデータをハードディスク装置３に格納したり、ホストコンピュータから送付された最新の演奏プログラムをインストールしたりする。
【０００８】
＝＝＝演奏動作＝＝＝
利用者が電源を投入し、カラオケ装置１ａが起動されると、中央制御部２は、ＲＯＭに格納されているＩＰＬ（Initial Program Loader）に従って、ハードディスク装置３から演奏プログラムを読み出し、ＲＡＭに格納する。中央制御部２はこの演奏プログラムに従って、カラオケ楽曲の演奏に関わる各種処理を実行する。  
中央制御部２は、リモコン送信器５や操作パネル６を通じてユーザ入力される楽曲番号を操作制御部７を介して受け取ると、その入力順と楽曲番号とを対応づけてＲＡＭに格納し、この楽曲の演奏予約登録する。予約楽曲の演奏順番になると、ハードディスク装置３より該当の楽曲データを取り出してＲＡＭに格納する。ＲＡＭに格納された楽曲データ中の音楽生成データはシンセサイザ８に順次転送され、ここで生成された伴奏音楽の音声信号（楽曲音声信号）は、マイクロホン１１から入力された音声信号（歌唱音声信号）とともにミキシングアンプ９に入力され、その混合音声信号がスピーカ１０から出力される。
【０００９】
その一方で、歌詞描出データを音楽生成データの処理に同期して処理する。歌詞描出データは、全歌詞文字を適宜な小節ごとに区切って文字列とし、その文字列の表示／消去順序（歌詞描出シーケンス）や文字列の表示位置などの情報と、各文字列の表示／消去タイミングや文字列中の各文字における色変えタイミング（歌唱時機指示）などの各情報を記述しており、中央制御部２は、指定の文字列を指定のタイミングで表示／消去したり、表示中の文字に色変え表現を加えたりした歌詞画像をビデオＲＡＭ１２に順次ビットマップ展開していく。
【００１０】
さらに、映像台本データに基づいてＣＤ−ＲＯＭチェンジャ１５を制御する。映像台本データは、どのＣＤ−ＲＯＭのどの記録位置から素材映像データを読み出すのかを時系列に沿って記述したデータである。中央制御部２はこの映像台本データに従ってＣＤ−ＲＯＭチェンジャ１５を制御する。なお、この映像台本データは、異なるＣＤ−ＲＯＭが交互に指定されるようにあらかじめ作成されている。それによって、同じＣＤ−ＲＯＭから連続して素材映像データが読み出されて、素材映像の切り替え時にデータ記録位置ヘのアクセスに伴うタイムラグが生じないようにしている。映像制御部１３は、歌詞画像をＣＤ−ＲＯＭチェンジャ１５からのムード映像にスーパーインポーズする処理を行ってその映像信号をディスプレイ１４に出力する。
【発明の開示】
【発明が解決しようとする課題】
【００１１】
上記構成のカラオケ装置は、ＣＤ−ＲＯＭチェンジャを使用して映像データベースを構築している。ＣＤ−ＲＯＭチェンジャを含め、多数のディスク媒体を使用しての映像データベースは、大型で高価な装置を必要とする。そこで、ハードディスク装置は大容量化・低価格化が進み、ＣＰＵ処理速度も著しく向上した現在の動向を鑑み、１台あるいは複数台のハードディスク装置に楽曲データと映像データとを格納するとともに、映像データを専用のデコーダやソフトウエアで復号するタイプのカラオケ装置が出現した。それによって、カラオケ装置の小型化と低価格化とを実現している。また、このタイプのカラオケ装置は、楽曲データと同様にして映像データの更新や追加がオンラインで自由に行えるという、ＣＤ−ＲＯＭチェンジャタイプにはない利点もあり、このタイプのカラオケ装置は、今後さらに普及するものと考えられている。
【００１２】
しかし、ハードディスク装置は半永久的に使用できる装置ではない。光ディスクと比較して故障する確率が高いのも事実である。長時間の使用や衝撃によって故障が発生しやすい。動作不能に至らなくてもデータの損傷や揮発によってデータの読み出し異常が起こることも少なくない。ハードディスク装置の故障や異常が発生すれば、ハードディスク装置の換装やハードディスクの再フォーマット・データの再格納などが必要となる。
【００１３】
カラオケ装置を設置・運営している店舗や事業者（カラオケ運営者）は、ハードディスクが修理・メンテナンス中にあるとき、カラオケ装置の稼働を休止させなければならない。カラオケ運営者にとってはこの休止期間がそのまま収益減に直結する。特に、飲食店などでは、一店舗に一台のカラオケ装置を設置する業務形態が多く、代替のカラオケ装置やカラオケ会場（部屋）がない。そのため、カラオケ装置の利用を目的とした顧客をこの休止期間に失ってしまい、カラオケ装置が復旧した後にも業績が回復せず、故障の「後遺症」が残る可能性が高い。
【００１４】
そこで、ハードディスクの故障の前兆となる読み出し異常などが検出されたときに、その旨を報知したり通信回線を介して所定の連絡先に通知したりするカラオケ装置もある。特開平８−２０４８３９号公報に開示された技術では、ハードディスク装置に関わる異常の検出回数をカウントし、そのカウント結果だけを通知している。それによって、異常の程度を保守・点検者側が把握するとともに、異常検出毎に保守や点検せず、保守管理にかかる費用も削減している。特開平１１−６５５７８号公報には、カラオケ装置内の温度を監視して異常を事前に通知するカラオケ装置が開示されている。さらに、特開平１１−８８５５１号公報に開示されたカラオケ装置は、故障に至るまでの経過を分析した結果と、実際の監視状態とを比較して故障を予知するものである。
【００１５】
しかし、実際に故障が予知されたとしても、その予知にどれほどの確実性があるのであろうか。予知された通りに故障が起こらなければ、交換したハードディスク装置やその交換に要した費用は全て無駄になる。また、予知された故障に対して、保守・点検業者側ではどれだけの対応ができるのであろうか、実際に故障が起こる前であっても、急を要する場合には、営業時間中にカラオケ装置を休止させることになる。もちろん、過去に例がない種類の故障や突然の故障もある。
【００１６】
そこで本発明は、ハードディスク装置の構成や格納データを工夫することで、実際にハードディスクが故障しても、バックアップモードでカラオケ装置を連続稼働させ、故障の種類によっては非故障時の通常動作モードとバックアップモードとが全く同じ動作をするようにした、独特なバックアップ機能を備えたカラオケ装置を提供することを目的としている。
【課題を解決するための手段】
【００１７】
本発明は、上記目的を達成したカラオケ装置であって、その第１の発明は、つぎの要件（１）〜（６）を備えている。  
（１）３台の外部記憶装置Ａ・Ｂ・Ｃを装備したコンピュータを主体に構成されたカラオケ装置である。  
（２）音楽生成データと歌詞描出データと映像台本データとを含む多数の楽曲データを集約してなるカラオケデータベースが外部記憶装置ＡとＢとに二重化して格納されている。  
（３）歌詞の背景映像として用意された多数に区分された大量の素材映像データを集約してなる映像データベースが外部記憶装置ＢとＣに分割して格納されている。  
（４）前記カラオケデータベースから指定楽曲の前記楽曲データを取り出して処理し、カラオケ伴奏音楽を音響出力するとともに背景映像を伴った歌詞を映像出力するための演奏プログラムが外部記憶装置ＡとＢに二重化して格納されている。  
（５）前記演奏プログラムは、外部記憶装置ＢとＣに異常がない場合、演奏する前記楽曲データの前記映像台本データに従って、外部記憶装置Ｂに格納された素材映像データと外部記憶装置Ｃに格納された素材映像データとを交互に取り出してつなぎ合わせた背景映像を出力する映像編集処理手段を備えている。  
（６）前記演奏プログラムは、外部記憶装置ＢとＣのいずれか一方が故障した場合、演奏する前記楽曲データの属性情報などに従って、故障していない外部記憶装置ＢまたはＣに格納された素材映像データを取り出して背景映像を途切れないように出力する代替映像処理手段を備えている。
【００１８】
第１の発明に記載のカラオケ装置であって、起動時に前記３台の外部記憶装置のいずれかに故障があるか否かを調査するプログラムを実行し、前記演奏プログラムは、当該調査プログラムによる調査結果に基づいて、前記映像編集手段あるいは前記代替映像処理手段のいずれかを選択／実行する処理手段と、起動後に前記外部記憶装置Ａ〜Ｃのいずれかが異常であることを認知すると、適時に再起動処理を行う処理手段とを備えたカラオケ装置を第２の発明としている。
【００１９】
第３の発明は、第１または第２の発明に記載のカラオケ装置であって、前記演奏プログラムは、起動時あるいは起動後に外部記憶装置Ａ〜Ｃのいずれかにて発生した異常について、前記外部記憶装置ＡまたはＢにログとして記録する処理手段を備えている。この第３の発明において、前記演奏プログラムは、前記外部記憶装置Ａ〜Ｃがいずれも正常であっても、前記ログの記録内容に基づいて適宜に前記映像編集手段あるいは前記代替映像処理手段を実行する処理手段を備えたカラオケ装置を第４の発明としている
第５の発明は、第１〜第４の発明のいずれかに記載のカラオケ装置であって、前記外部記憶装置の異常を検出すると所定の通信回線に接続してあらかじめ設定されている所定の連絡先に所定のエラーメッセージを通知する異常通知手段を備え、第６の発明は、第１〜第５の発明のいずれかに記載のカラオケ装置であって、適宜な通信回線を介して送付された前記楽曲データを前記外部記憶装置ＡとＢとにほぼ同時に格納するためのダウンロード手段を備えている。
【発明の効果】
【００２０】
本発明のカラオケ装置によれば、ハードディスク装置などの外部記憶装置に映像データベースを構築した場合でも、３台の外部記憶装置を装備することで、いずれかの外部記憶装置が故障したとしてもカラオケ装置を休止させることなく連続稼働させることができる。しかも、３台の外部記憶装置のそれぞれに格納されるデータ内容を工夫することでデータ容量を節約している。
【００２１】
また、楽曲の演奏や歌詞の表示については、正常時と全く同じ動作であり、故障した外部記憶装置によっては背景映像の表示動作も正常時と同じになる。背景映像の表示動作が正常時と異なっていても、楽曲毎に対応付けされている属性情報などに基づいて適宜な背景映像が表示されるため、利用者が故障によって感じる違和感を軽減することができる。
【００２２】
起動時に外部記憶装置の動作状態を調査し、その調査結果に応じて適宜に背景映像の表示処理を行うようにすれば、起動後に外部記憶装置の故障が認知されたときに再起動処理を行うだけで適切な表示処理に変更される。
【００２３】
故障や異常の状況を故障履歴簿として故障していない外部記憶装置に記録すれば、確実に故障や異常のログが保存される。ログは、故障の状態を的確に把握し修理や今後の故障防止のための重要な資料となる。また、全ての外部記憶装置が正常であっても、故障履歴簿に基づいて故障を予想し、適切な処理に切り替えれば、突然の故障を未然に防ぐことができるし、事前に故障が予想される外部記憶装置に格納されているデータに対し事前に保全措置を講ずることも可能となる。
【００２４】
外部記憶装置が故障した旨を所定の連絡先に通知することで、故障した状態に放置されることがなくなる。  
通信カラオケシステムの端末となるカラオケ装置では、２台の楽曲データ格納用外部記憶装置Ａ・Ｂにほぼ同時に楽曲データや演奏プログラムをダウンロードすることで、ダウンロード後にどちらかの外部記憶装置が故障しても確実に他方の外部記憶装置に楽曲データが保存される。したがって、新曲の追加やプログラムのバージョンアップが遅れることがない。
【発明を実施するための最良の形態】
【００２５】
＝＝＝カラオケ装置＝＝＝
本発明の一実施例によるカラオケ装置は、素材映像データの格納媒体としてハードディスク装置を使用したハードウエア構成を採用し、ハードディスク装置に故障や異常が発生してもカラオケ装置を休止させることなく連続稼働させるバックアップ機能を備えている。図２は、本発明の実施例におけるカラオケ装置の機能ブロック図を示している。このカラオケ装置１ｂは、ＣＤ−ＲＯＭチェンジャを装備せず、中央制御部２を介して供給されるＭＰＥＧ形式の映像データを復号するＭＰＥＧデコーダとＪＰＥＧ形式の静止画データや動画データを復号するＪＰＥＧデコーダとを内蔵した映像復号部１７を備えている。また、外部記憶装置として３台のハードディスク装置Ａ・Ｂ・Ｃを備えている。本実施例では、ハードディスク装置Ａ・Ｂ・Ｃの記憶容量は、この順にそれぞれ２０ＧＢ・３０ＧＢ・３０ＧＢとなっている。
【００２６】
図３は各ハードディスク装置Ａ・Ｂ・Ｃに格納されているデータの内容を示している。ハードディスク装置Ａとハードディスク装置Ｂに楽曲データを二重化して格納することでカラオケデータベースが構築されている。また、ハードディスク装置Ａとハードディスク装置Ｂには演奏プログラムがそれぞれに格納されている。ハードディスク装置Ｂとハードディスク装置Ｃには、従来のカラオケ装置１ａ（図１）が装備するＣＤ−ＲＯＭチェンジャ１５におけるそれぞれのＣＤ−ＲＯＭと同様にして、多数に区分された大量の素材映像データを分割して格納され、映像データベースが構築されている。本実施例における素材映像データは、ＭＰＥＧ１形式の映像データやＪＰＥＧ形式の画像データであり、短時間分の動画映像に相当する素材映像データを映像ファイルとし、一枚の静止画像に相当する画像データを画像ファイルとして、各素材映像をファイル単位で管理している。したがって、本実施例における映像台本データは、ハードディスク装置Ｂとハードディスク装置Ｃから交互に読み出されて処理される映像ファイルを時系列的に記述したものとなる。なお、演奏プログラムはハードディスク装置Ａとハードディスク装置Ｂに格納されている。
【００２７】
＝＝＝動作モード＝＝＝
本実施例のカラオケ装置１ｂは、起動時におけるハードディスク装置Ａ・Ｂ・Ｃの故障状況に応じて、異なるモードで動作する。電源を供給するなどしてカラオケ装置１ｂを起動すると、中央制御部２は、ＩＰＬに従って内部ＲＯＭにあるハードディスク装置調査プログラム（以下、調査プログラム）をＲＡＭに展開する。中央制御部２は、この調査プログラムを実行してハードディスク装置Ａ・Ｂ・Ｃの全てが正常であることを認知すると、ハードディスク装置Ａから演奏プログラムを読み出してＲＡＭに展開し、通常演奏モードによってカラオケ装置１ｂを統括／制御する。  
一方、ハードディスク装置Ａ・Ｂ・Ｃのいずれかが故障している場合、故障していないハードディスク装置から読み出した演奏プログラムに従って、バックアップモードＡ〜Ｃのいずれかによってカラオケ装置１ｂを統括／制御する。
【００２８】
＝＝＝通常演奏モード＝＝＝
通常演奏モードでは、従来のカラオケ装置１ａ（図１）における演奏処理とほぼ同様の動作となる。中央制御部２は、ハードディスク装置Ａから演奏プログラムを読み込み、指定楽曲の楽曲データについてもハードディスク装置Ａから読み出す。そして、その楽曲データをＲＡＭに展開して伴奏音楽と歌詞画像の生成処理を実行し、この処理と並行してハードディスク装置Ｂとハードディスク装置Ｃとから交互に読み出した映像ファイルを映像復号部１７へ転送する。映像復号部１７にて復号された映像信号は映像制御部１３に入力される。映像制御部１３は、ビデオＲＡＭ１２にビットマップ展開される歌詞画像を映像復号部１７からの映像信号にスーパーインポーズした映像信号をディスプレイ１４に出力する。
【００２９】
＝＝＝バックアップＡモード＝＝＝
ハードディスク装置Ａが故障したときの演奏モードがバックアップＡモード（Ａモード）である。中央制御部２は、調査プログラムによってハードディスク装置Ａが故障していると判断すると、ハードディスク装置Ｂに格納されている演奏プログラムをＲＡＭに展開するとともに、ハードディスク装置Ａが故障している旨を演奏プログラムに与える。  
演奏プログラムはハードディスク装置Ａが故障していることを認知して、指定の楽曲データをハードディスク装置Ｂから読み出すようにする。したがって、楽曲データを読み出すハードディスク装置が異なる以外は通常演奏モードと全く同じ動作をする
＝＝＝バックアップＢモード＝＝＝
ハードディスク装置Ｂが故障したときのモードがバックアップＢモード（Ｂモード）である。中央制御部２は、調査プログラムによってハードディスク装置Ｂが故障していると判断すると、ハードディスク装置Ａに格納されている演奏プログラムをＲＡＭに展開するとともに、ハードディスク装置Ｂが故障している旨を演奏プログラムに与える。  
演奏プログラムは、ハードディスク装置Ｂが故障しているため、映像ファイルをハードディスク装置Ｂとハードディスク装置Ｃから交互に読み出して背景映像に編集する方式を適用できない。本実施例では、音楽生成データごとに楽曲のジャンルなどが属性情報として付帯されており、その属性情報と所定の素材映像データとの対応表がＲＯＭなどに格納されている。また、対応表によって特定される素材映像データは静止画に相当する画像ファイルであり、上記対応表には時系列に従って表示すべき画像ファイル名と表示順番とが記載されている。  
なお、画像ファイルは、専用のハードウエアあるいはソフトウエアによる復号手段があれば、ＧＩＦなどの他の形式の画像データであってもよい。もちろん、複数の静止画像を切り替えて動画にするタイプのデータ（モーションＪＰＥＧ、モーションＧＩＦなど）であってもよい。  
Ｂモードにおいて、中央制御部２は、指定楽曲の属性情報に対応する画像ファイルを表示順番に従ってハードディスク装置Ｃより読み出し、時系列に従って映像復号部１７に順次転送していく。映像復号部１７は復号した静止画像の映像信号を映像制御部１３へ出力する。それによって、ディスプレイ１４には静止画像が連続的に切り替わる背景映像に歌詞がスーパーインポーズされて表示される。
【００３０】
＝＝＝バックアップＣモード＝＝＝
ハードディスク装置Ｃが故障したときのモードがバックアップＣモード（Ｃモード）である。中央制御部２は、調査プログラムによってハードディスク装置Ｃが故障していると判断すると、ハードディスク装置Ａに格納されている演奏プログラムをＲＡＭに展開するとともに、ハードディスク装置Ｃが故障している旨を演奏プログラムに与える。  
ハードディスク装置Ｂとハードディスク装置Ｃとには、同じ内容の映像ファイルや画像ファイルが一部重複して格納されており、演奏プログラムは、Ｂモードと同様にして、指定楽曲の属性情報に対応する素材映像データ（画像ファイル）をハードディスク装置Ｂより読み出して復号する。したがってカラオケ装置１ｂは、演奏プログラム・楽曲データ・画像ファイルが読み出されるハードディスク装置が異なるだけで、Ｂモードと全く同じ動作をする。
【００３１】
＝＝＝ハードディスク装置の故障に伴う付帯機能＝＝＝
本実施例のカラオケ装置１ｂは、ハードディスク装置の故障に対応して上述の各バックアップモードを備えるとともに、故障や異常の状況を記録する故障記録機能と、ハードディスク装置が故障した旨をカラオケ装置の保守・点検業者などに通知する故障通知機能とを備えている。
【００３２】
＜故障記録機能＞
中央制御部２は、起動時あるいは起動後に確認されたハードディスク装置の故障や一時的な読取エラーなどの異常についてのログを所定のファイル形式の故障履歴簿にしてハードディスク装置に格納する。当然、故障が発生したハードディスク装置に故障記録簿を格納することはできない。また、故障まで至らなくてもハードディスク装置に異常が発生すれば、故障履歴簿が取り出せなくなる可能性がある。そこで本実施例では、ハードディスク装置Ａの故障や異常についてはハードディスク装置Ｂに、ハードディスク装置Ｂおよびハードディスク装置Ｃの故障や異常についてはハードディスク装置Ａに記録することとしている。  
故障記録簿の記載内容としては、故障については、動作させたバックアップモード（Ａモード〜Ｃモード）とその動作日時とを含んでいる。異常については、異常が発生したハードディスク装置・異常発生日時・異常の詳細を含んでいる。なお、異常の詳細は、例えば、特定のデータへのアクセスが不能であった場合にはその旨とそのデータ名などである。＜故障通知機能＞
装置メーカなど、カラオケ装置の保守・点検を行う業者のＦＡＸ番号を、ＲＯＭや全てのハードディスク装置など、適宜な記憶資源にあらかじめ登録しておき、中央制御部２は、ハードディスク装置の故障を認知すると、その旨を記述した定型の故障通知を作成して、保守・点検業者に通知する。  
故障通知の内容としては、故障したカラオケ装置１ｂを特定するための端末ＩＤや電話番号・故障したハードディスク装置（Ａ・Ｂ・Ｃ）・故障日時などを含んでいる。そして、起動時や演奏休止期間中などに通信制御部１６を介して適時に電話回線に接続して上記ＦＡＸ番号を発呼する。そして、ＦＡＸ形式のデータに変換した前記故障通知を送付する。それによって、故障通知のＦＡＸを受け取った業者は、カラオケ装置１ｂの設置場所に赴き、通知の記載内容に従って適切な処置を施すことができるのである。  
なお、ＦＡＸに限らず、上述の故障通知の内容を合成音声にしてもよい。そして、所定の電話番号を発呼し、音声メッセージで通知してもよい。あるいは、インターネットなど所定のデータ通信網に接続し、所定のアドレスに宛てて電子メールの形態で故障を通知することとしてもよい。  
もちろん、カラオケ装置１ｂに配設された所定のランプを点滅させてもよいし、液晶パネルなどの情報表示器を備えさせて、ここに故障の内容を表示させれば、このカラオケ装置１ｂの運営者や利用者に故障を知らせることができる。
【００３３】
＝＝＝その他、変更例・応用例＝＝＝
上記実施例では、ハードディスク装置が故障した場合に限りバックアップモードで動作する。しかし、全てのハードディスク装置が正常であっても、故障記録簿の内容を分析することで故障をある程度予想することができる。そこで、例えば、特定のハードディスク装置における読み取りエラーが所定回数以上発生するなど、所定の条件を満たせば、そのハードディスク装置を使用しない適宜なバックアップモードで動作させることとしてもよい。
【００３４】
実際にハードディスク装置が故障したり故障が予想されたりした場合は、バックアップモードが起動し、その旨が保守・点検業者側に通知されるので、故障記録簿には異常の内容のみを記録することとしてもよい。そして、定期的に故障記録簿の内容を故障通知と同様にして保守・点検業者に通知すれば、ハードディスク装置の状態を把握することができる。
【００３５】
上記実施例では起動時にハードディスク装置の故障を調査しているが、起動後でカラオケ装置が稼働している最中にハードディスク装置が故障する可能性もある。そこで、起動後に発生したハードディスク装置の故障を認知したときに再起動を行うように演奏プログラムを構成しておけば、再起動時にハードディスク装置の故障が検出されて適切なモードで動作する。なお再起動のタイミングとしては、楽曲演奏の合間など適時に行えばよい。そして再起動する前に演奏予約されていた楽曲については、その予約テーブルなどを正常なハードディスク装置に一時待避させ、起動後にその予約テーブルをＲＡＭに再格納すれば、利用者が演奏予約操作をし直す必要がなくなる。
【００３６】
ハードディスク装置Ａに格納されいる演奏プログラム（プログラムＡとする）とハードディスク装置Ｂに格納されている演奏プログラム（プログラムＢとする）とは同じ構成としてもよいし、一部異なる処理を実行するように構成しておいてもよい。すなわち、上記実施例では、ハードディスク装置Ａが故障したときにのみ、プログラムＢが使用される。それ以外ではプログラムＡが使用されている。そこでプログラムＢは、指定楽曲の楽曲データをハードディスク装置Ｂから読み出すようにような構成にしておいてもよい。
【００３７】
プログラムＡとＢとが同じ構成である場合、ハードディスク装置調査プログラムは演奏プログラムの読み出しハードディスク装置を指定するだけで、演奏プログラム自身がハードディスク装置を調査したり調査プログラムから故障ハードディスク装置についての情報を入手したりして、所定のモードでカラオケ装置１ｂを動作させればよい。
【００３８】
ＢモードやＣモードにおいて、静止画に限らず属性情報に対応付けされた複数の映像データを順番に読み出して順次映像復号部１７に転送して、動画を表示してもよい。映像の切り替わり時にフェードイン／フェードアウトなどの適宜な映像効果を付加すれば、映像ファイルの転送が間に合わない場合でも映像が切り替わるときの違和感を軽減できる。  
あるいは、１楽曲分の演奏時間より長い素材映像に相当する映像ファイルを用意しておき、バックアップＢおよびＣモード時に、この映像ファイルが指定されるようにしてもよい。
【００３９】
また、対応表を用いず、楽曲毎に特定の映像ファイルや画像ファイルを直接指定した属性情報が対応付けされていてもよいし、ＢおよびＣモード用の素材映像データを専用に用意しておいて、その中からランダムに選択してもよい。
【００４０】
通信カラオケシステム用のカラオケ装置では、楽曲データや各種プログラムがハードディスク装置にダウンロードされる。そこで、ダウンロード機会にハードディスク装置Ａとハードディスク装置Ｂに同時に楽曲データを格納することとすれば、どちらかのハードディスク装置が故障していても確実に新規のデータやプログラムが格納される。もちろん、通信機会にハードディスク装置の故障を判別して適宜なハードディスク装置に格納してもよい。この場合、ハードディスク装置Ａとハードディスク装置Ｂが双方とも正常である場合、一方のハードディスク装置にダウンロードし、ダウンロード終了後に他方にダウンロードデータをコピーすることもできる。もちろん、ダウンロード中に故障が発生した場合は、他方に転送し直すことも可能であろう。  
【図面の簡単な説明】
【００４１】
【図１】従来例として挙げたカラオケ装置の機能ブロック図である。
【図２】本発明の実施例として挙げたカラオケ装置の機能ブロック図である。
【図３】上記実施例に装備された３台のハードディスク装置のそれぞれに格納されたデータの内容説明図である。
【符号の説明】
【００４２】
１ａ、１ｂ  カラオケ装置
２  中央制御部
３、ハードディスク装置Ａ・Ｂ・Ｃ  ハードディスク装置
１６  通信制御部
１７  映像復号部
【図１】
2004151745.tif 000003
【図２】
2004151745.tif 000004
【図３】
2004151745.tif 000005